(57)【要約】 【課題】本発明は半導体クリーンルームなどのような清浄設備の床材に使われる高強度パネルのどの地点においても集中強度を効果的に増加させ、パネル全体に加わる垂直荷重と偏心荷重を効果的に支持しつつ、上部から伝わる荷重がある一箇所に集中することなくパネル全体に均一に分散するようにする高強度パネルに関するものである。 【解決手段】本発明に係る高強度パネルは、パネルの縁部に形成され底面に向けてその厚さが厚くなるように形成したテーパー面を一側に有する縁リブ及び前記縁部の内部空間に配置されかつ該内部空間に多数の正方形格子部を形成する隔壁としての主補強リブを含み、前記格子部の内部空間に形成され格子部の内部を格子状に分割する補助補強リブと、を含み、 前記各補助補強リブにより分割された格子部の底部には、上部から加わる垂直荷重と偏心荷重に対する支持力を補強するための複数の円形溝が形成されている。 【選択図】図４
2007040090.tif 000002
【特許請求の範囲】
【請求項１】
底面に向けてその厚みが厚くなるように形成したテーパー面を一側に有し、パネルの縁部に各々形成される縁リブと、 
前記縁部の内部空間に配置されかつ前記内部空間に多数の正方形格子部を形成分離する隔壁の主補強リブと、 
前記格子部の内部空間に形成され格子部の内部を格子状に分割する補助補強リブと、を含み、 
前記各補助補強リブにより分割された格子部の底部には、上部から加わる垂直荷重と偏心荷重に対する支持力を補強するための複数の円形溝が形成されていることを特徴とする高強度パネル。 
【請求項２】
前記縁部は、その中央所定部に形成されている一定個数の格子部を備え、前記格子部の内部空間を分割するように前記格子部の内部に形成されている補助補強リブを備えることを特徴とする請求項１に記載の高強度パネル。 
【請求項３】
前記補助補強リブにより形成された格子部の底面には、周りの円形リブが設けられ、該円形リブにより規定された前記円形溝が形成されていることを特徴とする請求項１または２に記載の高強度パネル。 
【請求項４】
前記多数の正方形格子部の各々の各辺を４等分するように 前記補助補強リブが設けられている、請求項１乃至３のいずれかに記載の高強度パネル。
【請求項５】
前記補助補強リブは前記主補強リブの高さの約半分乃至約3分の１の高さを有する、請求項１乃至４のいずれかに記載の高強度パネル。
【発明の詳細な説明】
【技術分野】
【０００１】
本発明は半導体クリーンルームなどのような清浄設備の床材に使われる高強度パネルに関するもので、より詳細にはパネルの縁部に形成された縁リブ及び主補強リブを含み、その間に形成された補強リブの支持力によってパネルのどの地点においても集中強度を効果的に増加させ、またパネルの底面に形成された円形溝及びこの円形溝の周りを取り囲む円形リブの作用でパネル全体に加わる垂直荷重と偏心荷重を効果的に支持しつつ、上部から伝わる荷重がある一箇所に集中することなくパネル全体に均一に分散するようにした高強度パネルに関するものである。 
【背景技術】
【０００２】
周知のように、半導体のような高集積回路の製造室、遺伝子工学研究室など、生産及び研究のための各種の特殊装備が設置されるクリーンルームの床には、外部の微細な埃及び粉塵、微粒子などを効果的に吸収除去すると共に、各種特殊装備の荷重を均等に分散させて一側の床に集中する荷重によって床に亀裂が生じたり沈下したりする現象を防止するため、所定高さで立設された二重の床システムを備えている。 
【０００３】
また、二重の床パネルは寒気の防止や特殊機械の発熱による過熱防止が求められる位置、または室内の温度と湿度調節及び埃、粉塵、微粒子などの吸収除去のための所には、複数の小さな孔が穿孔されている多孔パネルが設けられており、その多孔パネルの下部には支持台を備えるフロアが配設される。そのフロアの下部には各種排気装置及びケーブルが配設されているので、半導体クリーンルームの床面のフロアは地面から一定高さで離隔した状態で設けられる。 
【０００４】
したがって、このようなフロアの高さは排気装置及び床面に内設されたケーブル装備の大きさと、その他の様々な条件によって可変性を持たなければならない。 
【０００５】
このようなクリーンルームの床に設けられる従来の床パネルの構造を図１及び図２に示す。これらの図面に示すように、下面の縁に複数の長手方向溝を有する縁部２０２が形成されていて、その縁部２０２の内部には複数の正方形格子部２０４が形成されている。 
【０００６】
図２に示すように、各格子部２０４の間には隔壁の主補強リブ２０６が一定高さで形成されており、その主補強リブ２０６で取り囲まれた底面には縦横の配列構造を有する円形溝２０８が形成されている。また、各円形溝２０８に隣接する他の円形溝２０８は互いに連結台２１０によって連結されており、連結台２１０からなっている空間には十字状の溝２１２が提供される構造である。 
【０００７】
しかし、このような従来の床パネルの構造は、その上層部に配設される床パネルの上面に重量の大きい各種設備を配置するため、多少の衝撃や振動が加わっただけで床パネルが容易に歪んだり破損したりする問題点がある。 
【０００８】
すなわち、床パネルの上面から加わる下側荷重と、その床パネルの設備が一部位置に偏ることによって発生する偏心荷重がそのまま床パネルに伝達される場合、その垂直荷重及び偏心荷重は、円形溝２０８を含めて円形溝２０８と隣接する他の円形溝２０８との間を連結する円形溝連結台２１０、及び各円形溝２０８の間に配置された十字状の溝２１２に集中的に加わる。 
【０００９】
また、従来の床パネルは主補強リブ２０６の縦横配置間隔が広く、その間の空間に円形溝２０８が集中的に設けられる。そのため、上方から伝達される垂直荷重及び側方から伝達される偏心荷重が、格子形態に設けられた主補強リブ２０６の間の真ん中部分に伝達される場合、その中心部に形成された円形溝２０８及び十字状の溝２１２の荷重に対する支持力が低下し、その部分の破損及び亀裂などが急速に進む問題がある。 
【発明の開示】
【発明が解決しようとする課題】
【００１０】
本発明は、前述した従来技術の問題点に鑑みてなされたもので、その目的はパネルを全体的に支持するための縁リブを補強し、その間に設けられる主補強リブの内部空間を分割する他の格子状の補助補強リブを形成することによって、上部から伝達される垂直荷重と偏心荷重に対する支持力を補強すると共に、ある特定部分の荷重に対する支持力が低下することを防止できる高強度パネルを提供することにある。 
【００１１】
本発明の他の目的は、パネルを全体的に支持するための縁リブを補強し、その間に設けられる主補強リブの内部空間を分割する他の格子状の補助補強リブを形成し、その底面には円形溝を形成することによって、支持力を強化した高強度パネルを提供することにある。 
【課題を解決するための手段】
【００１２】
このような目的を達成するための本発明の高強度パネルは、底面に向けてその厚みが厚くなるように形成したテーパー面を一側に有し、パネルの縁部に各々形成される縁リブと、 
前記縁部の内部空間に形成されかつ前記内部空間に多数の正方形格子部を形成分離する隔壁の主補強リブと、
前記格子部の内部空間に形成され格子部の内部を格子状に分割する補助補強リブと、を含み、
前記各補助補強リブにより分割された格子部の底面には、上部から加わる垂直荷重と偏心荷重に対する支持力を補強するための複数の円形溝が形成されていることを特徴とする。
【００１３】
ここで、前記縁部は、その中央所定部に形成されている一定個数の格子部を備え、前記格子部の内部空間を分割するように前記格子部の内部に形成されている補助補強リブを備えることが好ましい。 
【００１４】
また、前記補助補強リブにより形成された格子部の底面には、周りの円形リブが形成され、該円形リブにより規定された前記円形溝が形成されていることが好ましい。 
【００１５】
前記多数の正方形格子部の各々の各辺を４等分するように 前記補助補強リブが設けられていることが好ましい。
【００１６】
前記補助補強リブは前記主補強リブの高さの約半分乃至約3分の１の高さを有することが好ましい。
【００１７】
なお、「円形溝」および「円形リブ」の「円形」については、「真円」のみを指すのではなく、同様な機能、作用を示す限り多少の変形があってもよい。
【発明の効果】
【００１８】
本発明に係る高強度パネルは、パネルの縁部に形成された縁リブ及び主補強リブを含み、その間に形成された補強リブの支持力によってパネルのどの地点においても集中強度を効果的に増加させ、またパネルの底面に形成された円形溝及びこの円形溝の周りを取り囲む円形リブの作用でパネル全体に加わる垂直荷重と偏心荷重を効果的に支持しつつ、上部から伝わる荷重がある一箇所に集中することなくパネル全体に均一に分散させることができる。 
【発明を実施するための最良の形態】
【００１９】
以下、図面を参照して本発明の好ましい実施形態による高強度パネルについて詳細に説明する。 
【００２０】
図３は本発明の好ましい実施形態に係る高強度パネルを裏返した状態を示す平面図であり、図４は図３のパネルの一部を拡大して示す拡大斜視図であり、図５は図４に示すパネルの平面図である。また、図６は本発明の好ましい実施形態に係る高強度パネルの断面図であり、図７は図３のパネルの一部を拡大して示す平面図であり、図８は図７の線Ａ−Ａに沿って取った断面図である。 
【００２１】
これらの図面に示すように、本発明の好ましい実施形態に係る高強度パネル３０において、パネルの縁部３０２を構成する縁リブ３１６は、従来のパネルに比べてその厚さが補強され、その一側にはテーパー面を有することを特徴とする。 
【００２２】
すなわち、本発明に係る本実施態様の高強度パネルでは、四隅を支持する縁部３０２の縁リブ３１６を補強した。これはリブの高さが高いほど初期変形に対する強度が増加し、リブの厚さが厚いほど破壊される時点の荷重値が上昇することを勘案したものである。また縁リブ３１６の一側面を傾斜するように構成することによって、初期変形値と破壊強度が縁リブのどの区域においても均一に分布するようになる。 
【００２３】
また、本実施態様の高強度パネルにおいて、主補強リブ３０６の内部空間を１６等分する他の格子状の補助補強リブ３０７は、主補強リブ３０６の半分の高さで構成している。
【００２４】
本実施態様の高強度パネルにおいて、補助補強リブ３０7により形成された格子部の底面には縦横２列の配列構造を有する円形溝３０８を対角線方向に形成して、各円形溝３０８の間に形成される溝の面積を最小化する。また、その周りは円形リブ３１４を配設することによって、上部から伝達される垂直荷重と偏心荷重に対する支持力を補強すると共に、ある特定部分の荷重に対する支持力の低下を防止している。 
【００２５】
したがって、本発明の本実施態様の高強度パネルによれば、従来の床パネル２に比べて、縁リブ３１６と主補強リブ３０６との間に形成された補助補強リブ３０７によって、垂直荷重はもちろん偏心荷重に対する支持力が増加し、ある特定部分の荷重に対する支持力が低下することが防止できる。 
【００２６】
また、各補助補強リブ３０７により１６等分された格子部の底面３１０には図７及び図８に示すように、周りに円形リブ３１４が配設された複数の円形溝３０８が形成されている。 
【００２７】
補助補強リブ３０７は図６に示すように、主補強リブ３０６の高さに比べて、約半分ないし３分の１程度の高さを有することが好ましい。 
【００２８】
これは、全体支持パネルの材料費及び垂直荷重や偏心荷重に対して効果的に対応できる支持力などを考慮した高さである。したがって、それ以上に補助補強リブ３０７を高く構成すれば、全体の製造コストが上昇して経済的に非常に不利である。 
【００２９】
一方、本実施態様に適用した円形溝３０８はその周りに形成された円形リブ３１４の厚さを大きくするほど垂直荷重及び偏心荷重に対する支持力は向上する。 
【００３０】
また、床支持パネル３０の底面に形成された円形溝３０８は、図７に示すように、その配置間隔が従来の垂直水平の格子状の代りに、対角線方向に配設され、いずれかの円形溝３０８と隣接する他の円形溝３０８との間に、円形溝の形態性をそのまま維持しつつ、支持力をさらに向上させるための維持溝３１２がひし形状に形成されている。その維持溝３１２の対角線の長さは円形溝３０８の直径より小さく形成することが好ましい。 
【００３１】
なお、支持パネル３０の縁部３０２は、その中央の所定部に一定個数の縁格子部３０３が形成されており、その縁格子部３０３の内部にはその格子部内部空間を４等分する補助補強リブ３０７が形成されている。 
【００３２】
一方、本明細書内で本発明をいくつかの好ましい実施形態によって記述したが、当業者ならば、添付の特許請求範囲に開示した本発明の範疇及び思想から外れずに、多くの変形及び修正がなされ得ることがわかるはずである。 
【図面の簡単な説明】
【００３３】
【図１】従来の技術によるパネルを裏返した状態を示す平面図である。
【図２】図１のパネルの一部を拡大して示す拡大斜視図である。
【図３】本発明の好ましい実施形態による高強度パネルを裏返した状態を示す平面図である。
【図４】図３のパネルの一部を拡大して示す拡大斜視図である。
【図５】図４に示すパネルの平面図である。
【図６】本発明の好ましい実施形態による高強度パネルの断面図である。
【図７】図３のパネルの一部を拡大して示す平面図である。
【図８】図７の線Ａ−Ａに沿って取った断面図である。
【符号の説明】
【００３４】
３０  高強度パネル、３０２  縁部、３０３  縁格子部、３０４  格子部、３０６  主補強リブ、３０７  補助補強リブ、３０８  円形溝、３１０  底面、３１２  維持溝、３１４  円形リブ、３１６  縁リブ 
【図１】
2007040090.tif 000003
【図２】
2007040090.tif 000004
【図３】
2007040090.tif 000005
【図４】
2007040090.tif 000006
【図５】
2007040090.tif 000007
【図６】
2007040090.tif 000008
【図７】
2007040090.tif 000009
【図８】
2007040090.tif 000010